(57)【要約】【課題】本発明は、動画における応答性を改善しつつ、ぼけ感の少ない映像を提供する事ができる画像表示装置及び画像表示方法を提供することを目的とする。【解決手段】応答性改善回路５０は、入力された映像信号を１画面分遅延させ、出力するフレーム遅延手段５１と、入力された映像信号と遅延させた映像信号から入力された映像信号に乗算する値を決定する乗算値決定手段５２と、乗算値決定手段５２により決定した値を入力された映像信号に乗算させ、その後、高周波数成分を検出する高周波数成分検出手段５３と、入力された映像信号と遅延させた映像信号の差分を検出する差分値検出手段５４とを備え、差分値検出手段５４で検出した値に応じて、高周波数成分検出手段５３で検出された高周波数成分を加算し、出力する。【選択図】図４
2008122883.tif 000002
【特許請求の範囲】
【請求項１】
第１の映像信号を１画面分遅延させ、第２の映像信号として出力するフレーム遅延手段と、
前記第１の映像信号と前記第２の映像信号から前記第１の映像信号に乗算する値を決定する乗算値決定手段と、
前記乗算値決定手段により決定した値を前記第１の映像信号に乗算させ、第３の映像信号とした後、前記第３の映像信号の高周波数成分を検出する高周波数成分検出手段と、
前記第１と第２の映像信号の差分を検出する差分値検出手段と、
前記差分値検出手段で検出した値に応じて、前記第３の映像信号の高周波数成分を前記第３の映像信号に加算する加算手段とを備えた事を特徴とする画像表示装置。
【請求項２】
検出した前記高周波数成分を、前記差分値検出手段で検出した差分値と前記高周波数成分の振幅レベルとに応じて調整する高周波数成分調整手段を備えた請求項１記載の画像表示装置。
【請求項３】
前記高周波数成分検出手段により検出した後、前記高周波数成分を増幅する高周波数成分増幅手段を備えた請求項１記載の画像表示装置。
【請求項４】
前記差分値検出手段で検出した差分値を調整する差分値調整手段を具備し、前記差分値調整手段により差分値を調整した後、前記差分値に応じて前記第３の映像信号の高周波数成分を加算する事を特徴とする請求項１記載の画像表示装置。
【請求項５】
前記第３の映像信号の高周波数成分を加算した量に応じて色成分の量を調整する色成分調整手段を備えた請求項１記載の画像表示装置。
【請求項６】
第１の映像信号を１画面分遅延させ、第２の映像信号として出力するフレーム遅延ステップと、
前記第１の映像信号と前記第２の映像信号から前記第１の映像信号に乗算する値を決定する乗算値決定ステップと、
前記乗算値決定ステップにより決定した値を前記第１の映像信号に乗算させ、第３の映像信号とした後、前記第３の映像信号の高周波数成分を検出する高周波数成分検出ステップと、
前記第１と第２の映像信号の差分を検出する差分値検出ステップとを具備し、
前記差分値検出ステップで検出した値に応じて、前記第３の映像信号の高周波数成分を前記第３の映像信号に加算する加算ステップとを備えた事を特徴とする画像表示方法。
【請求項７】
検出した前記高周波数成分を、前記差分値検出ステップで検出した差分値と前記高周波数成分の振幅レベルとに応じて調整する高周波数成分調整ステップを備えた請求項６記載の画像表示方法。
【請求項８】
前記高周波数成分検出ステップにより検出した後、前記高周波数成分を増幅する高周波数成分増幅ステップを備えた請求項６記載の画像表示方法。
【請求項９】
前記差分値検出ステップで検出した差分値を調整する差分値調整ステップを具備し、前記差分値調整ステップにより差分値を調整した後、前記差分値に応じて前記第３の映像信号の高周波数成分を加算する事を特徴とする請求項６記載の画像表示方法。
【請求項１０】
前記第３の映像信号の高周波数成分を加算した量に応じて色成分の量を調整する色成分調整ステップを備えた請求項６記載の画像表示方法。
【請求項１１】
請求項６乃至１０のいずれかに記載の画像表示方法のコンピュータプログラム。
【発明の詳細な説明】
【技術分野】
【０００１】
本発明は、画像を出力するプロジェクタ装置などの画像表示装置に関し、特に、動画における応答性を改善する技術に関する。
【背景技術】
【０００２】
プロジェクタ装置などの画像表示装置が画像を表示出力している際に、内蔵する液晶パネルの応答速度が遅い為に、動画を表示した際にぼけや残像が残り、表示している画像が悪化し、見にくくなる。このような動画に関する応答性を改善する技術の一つに、特許文献１に開示されている動画処理装置がある。
【０００３】
図１１は特許文献１に開示されている動画処理装置を示すブロック図である。動画処理装置１０は、フレームメモリ１００と、エッジ検出部１０２と、ゲートアレイ１０４と、配列データ保持部１０６とを備えている。動画処理装置１０は、液晶表示装置２０に出力する強調された階調値である強調階調を決定する。入力された映像情報は、フレームメモリ１００と、エッジ検出部１０２と、ゲートアレイ１０４とに送られる。フレームメモリ１００は、入力された映像情報を１フレーム期間保持し、１フレーム期間遅延された映像情報を出力する。続く第２フレームが入力された場合、エッジ検出部１０２は、第２フレームからエッジを検出し、エッジ検出画像としてゲートアレイ１０４に送る。配列データ保持部１０６は、初期強調階調データをＬＵＴとして保持している。ゲートアレイ１０４は、ＬＵＴに基づいて初期強調階調を決定するとともに、エッジ検出画像のエッジ強度に基づいて、初期強調階調に対して、さらに所定量の強調処理を行うことにより、実際に液晶表示装置２０に書き込む強調階調を生成する。
【０００４】
このように、映像情報が入力されると、現映像と１画面前の映像の階調の差分を検出し、強調することにより、動画処理装置の応答特性を改善する。また、現映像のエッジ領域に対し差分強調量をより大きい値に補正するので、更に動画像の応答性が向上する。
【特許文献１】特開２００６−９８８０３号公報
【発明の開示】
【発明が解決しようとする課題】
【０００５】
しかしながら、映像には、全体的に明るい映像や、暗い映像など様々なものがあり、特に中間階調の映像に対しては、特許文献１のように単純に元映像のエッジ領域に対して差分強調量を大きくする（いわゆるオーバードライブ）だけでは映像の応答性が改善するとは限らない。
【０００６】
例えば、特に元映像に白黒のレベルの差が大きい時には確かに応答性改善の効果が認められる場合もあるが、元映像に白黒のレベル差が少ない、つまり、中間の階調が多い場合にはエッジ領域も少ない為効果がない。
【０００７】
また、単純にエッジ領域に差分量を強調するだけでは、映像に輪郭がついてしまい、視聴者が所望する映像からかけ離れてしまう事が生じうる。
【０００８】
上記問題に鑑み、本発明は、動画に対する応答性を改善しつつ、ぼけ感の少ない映像を提供することができる画像出力装置及び画像出力方法を提供することを目的とする。
【課題を解決するための手段】
【０００９】
第１の本発明は、第１の映像信号を１画面分遅延させ、第２の映像信号として出力するフレーム遅延手段と、
前記第１の映像信号と前記第２の映像信号から前記第１の映像信号に乗算する値を決定する乗算値決定手段と、
前記乗算値決定手段により決定した値を前記第１の映像信号に乗算させ、第３の映像信号とした後、前記第３の映像信号の高周波数成分を検出する高周波数成分検出手段と、
前記第１と第２の映像信号の差分を検出する差分値検出手段と、
前記差分値検出手段で検出した値に応じて、前記第３の映像信号の高周波数成分を前記第３の映像信号に加算する加算手段とを備えた事を特徴とする画像表示装置であるので、動画において応答性を改善しつつ、残像やぼけの少ない映像にする事ができるという作用を有する。
【００１０】
第２の本発明は、検出した前記高周波数成分を、前記差分値検出手段で検出した差分値と前記高周波数成分の振幅レベルとに応じて調整する高周波数成分調整手段とを備えた請求項１記載の画像表示装置であるので、高周波数成分で弊害となる輪郭を強調するのではなく、映像の所望の部分の繊細感をあげる事ができるという作用を有する。
【００１１】
第３の本発明は、前記高周波数成分検出手段により検出した後、前記高周波数成分を増幅する高周波数成分増幅手段を備えた請求項１記載の画像表示装置であるので、更に動画において応答性を上げ、残像やぼけの少ない映像にする事ができるという作用を有する。
【００１２】
第４の本発明は、前記差分値検出手段で検出した差分値を調整する差分値調整手段を具備し、前記差分値調整手段により差分値を調整した後、前記差分値に応じて前記第３の映像信号の高周波数成分を加算する事を特徴とする請求項１記載の画像表示装置であるので、映像において静止時か動画時かの判別精度を良くするという作用を有する。
【００１３】
第５の本発明は、前記第３の映像信号の高周波数成分を加算した量に応じて色成分の量を調整する色成分調整手段を備え、前記差分値調整手段に応じて前記色成分を調整する請求項１記載の画像表示装置であるので、輝度のみ上げた場合に輪郭が白く薄くなる弊害を防ぎ、正常な色で表示することができるという作用を有する。
【発明の効果】
【００１４】
以上のように本発明は、プロジェクタなどの画像表示装置、特に動画に対する応答性が悪い液晶パネルなどを内蔵する装置において、オーバードライブをした映像の高周波数成分を調整できるので、動画に対する応答性が改善し、かつ、ぼけ感の少ない映像を提供できるという効果が得られる。
【発明を実施するための最良の形態】
【００１５】
以下、本発明に係る画像表示装置及び画像表示方法の実施の形態について、プロジェクタ装置を例にとり、図面を参照しながら説明する。
【００１６】
（実施の形態１）
図１は画像表示装置であるプロジェクタ装置を示す構成図、図２は本発明の実施の形態１のプロジェクタ装置の外観図である。
【００１７】
プロジェクタ装置１は、図１に示すように、パーソナルコンピュータ１０と映像ケーブルを用いて接続されており、パーソナルコンピュータ１０が出力する映像信号を映像ケーブルを介して受け付け、受け付けた映像信号を信号処理して、内蔵する液晶パネルに展開してスクリーン２０に投影する。
【００１８】
プロジェクタ装置１の筐体には、一例として図２に示すように、ＶＩＤＥＯ端子２１、Ｓ−ＶＩＤＥＯ端子２２、ＲＧＢ／ＹＰｂＰｒ入力端子２３、リモコン受光部２４、レンズ２５、方向キー２６、決定ボタン２７及び外光センサ２８が設けられており、ＲＧＢ／ＹＰｂＰｒ入力端子２３が、パーソナルコンピュータ１０が出力する輝度信号Ｙ、色差信号Ｐｂ、色差信号Ｐｒを受け付け、外光センサ２８が、プロジェクタ装置１の周囲の外光照度を検出する。２９はプロジェクタ装置１を離れた位置から操作するためのリモートコントローラである。
【００１９】
パーソナルコンピュータ１０が出力する映像信号が表す画像の解像度は、一例として、１画面に６４０×４８０個の画素を含むＶＧＡ（Ｖｉｄｅｏ  Ｇｒａｐｈｉｃｓ  Ａｒｒａｙ）であるとする。
【００２０】
また、プロジェクタ装置１は、各画素について、最低輝度から最高輝度までを１０２４階調で表す仕様に基づいているものとする。
【００２１】
次に、本発明の実施の形態１のプロジェクタ装置について、詳細ブロック図である図３を参照しながら説明する。
【００２２】
ＶＩＤＥＯ端子２１は、ＮＴＳＣ方式のコンポジットビデオ信号を入力するための端子である。
【００２３】
Ｓ−ＶＩＤＥＯ端子２２は、Ｓビデオ信号を入力するための端子である。
【００２４】
ＲＧＢ／ＹＰｂＰｒ入力端子２３は、ＲＧＢ信号またはＹＰｂＰｒ信号を入力するための端子である。
【００２５】
入力セレクタ３０は、ＶＩＤＥＯ端子２１から入力されたコンポジットビデオ信号、Ｓ−ＶＩＤＥＯ端子２２から入力されたＳビデオ信号の内から何れかの信号を選択するためのセレクタである。
【００２６】
Ｙ／Ｃ分離回路３２は、カラーデコーダ３１によって入力されたコンポジットビデオ信号を、Ｙ信号とＣ信号とに分離するための回路である。
【００２７】
カラーデコーダ３１は、Ｙ／Ｃ分離された信号または入力されたＹ／Ｃ信号をＹＰｂＰｒ信号にカラーデコードするためのデコーダである。
【００２８】
マトリクス回路３３は、ＲＧＢ／ＹＰｂＰｒ入力端子２３から入力されたＹＰｂＰｒ信号をＲＧＢ信号へ変換する際にマトリクス処理を行うための回路である。
【００２９】
入力セレクタ３４は、ＲＧＢ／ＹＰｂＰｒ入力端子２３から入力されたＲＧＢ信号、マトリクス回路３３によって生成されたＲＧＢ信号の内から何れかの信号を選択するためのセレクタである。
【００３０】
入力セレクタ３４は、カラーデコーダ３１によって生成されたＹＰｂＰｒ信号、入力セレクタ３５によって入力されたＲＧＢ信号の内から何れかのアナログ信号を選択するためのセレクタである。
【００３１】
Ａ／Ｄコンバータ３６は、入力セレクタ３５によって選択されたアナログ信号を、１０ｂｉｔのデジタル信号へＡ／Ｄコンバートするためのコンバータである。
【００３２】
リサイズ・フリーズ・オンスクリーン発生回路４０は、Ａ／Ｄコンバータ３６によってＡ／Ｄコンバートされたデジタル信号を、ＬＣＤ（Ｌｉｑｕｉｄ  Ｃｒｙｓｔａｌ  Ｄｉｓｐｌａｙ）パネル９１〜９３の画素数に応じてリサイズし、オンスクリーンを重畳させるための回路である。また、この回路は台形補正をする機能も備えている。
【００３３】
応答性改善回路５０は、リサイズ・フリーズ・オンスクリーン発生回路４０が出力した映像データの動画時の応答性を改善する回路である。
【００３４】
メインマイコン７０は、電源（図示省略）制御、ファン（図示省略）制御、温度制御、入力切り換え制御など装置全体のあらゆる制御を行うとともに、応答性改善回路５０の制御を行う。
【００３５】
デジタル相展開回路８１〜８３は、ＬＣＤパネル９１〜９３の駆動ドライバ（図示省略）の動作速度を考慮して、応答性改善回路５０によって改善されたデジタル信号を相展開するための回路である。
【００３６】
パネル駆動ＩＣ（Ｉｎｔｅｇｒａｔｅｄ  Ｃｉｒｃｕｉｔ）９０は、ＬＣＤパネル９１〜９３を駆動するための回路である。
【００３７】
ＬＣＤパネル９１〜９３は、応答性改善回路５０によって色補正され、デジタル相展開回路８１〜８３によって相展開されたデジタル信号をカラー表示するためのパネルである。
【００３８】
次に、本実施の形態のプロジェクタ装置における動作について、図４から図６を用いて説明する。
【００３９】
図４は応答性改善回路５０の詳細図、図５はオーバードライブを説明する図、図６は高周波成分検出を説明する図である。
【００４０】
まず、リサイズ・フリーズ・オンスクリーン発生回路４０から出力した映像信号が入力されると、フレーム遅延手段５１により映像信号が１画面分記憶される。その後、フレーム遅延手段５１により記憶された映像信号と新たに応答性改善回路５０に入力された映像信号を乗算値決定手段５２に入力する。
【００４１】
乗算値決定手段５２は、入力された現映像信号と１画面遅延した映像信号のレベルにより、現映像信号に掛ける乗算値を決定する。例えば、図５に示すように、現映像信号が５１２レベル／１０２４階調であった時に、フレーム遅延手段５１から入力される１画面分遅れた映像信号が１０レベル／１０２４階調であった時、乗算値を１４０／１２８レベルと設定する事で、乗算器６０で掛けられた後の映像信号は５１２レベル×１４０／１２８＝５６０レベル／１０２４階調となり、リサイズ・フリーズ・オンスクリーン発生回路４０から入力された映像信号のレベルが強調される。
【００４２】
その後、高周波数成分検出手段５３により、強調された映像信号の高周波数成分を検出する。高周波数成分検出手段５３の一例として、１画面上の垂直方向及び水平方向の高周波数成分を検出する手段として説明する。
【００４３】
例えば、図６に示すように、水平方向及び垂直方向の３画素の高周波数成分を検出するフィルタを考える。このフィルタの係数を例えば−１／２、１、−１／２とした場合に連続した映像信号を考えた時、１２８レベル／１０２４階調、５１２レベル／１０２４階調、５１２レベル／１０２４階調とする。これに前記したフィルタ係数を掛けると、１９２レベル／１０２４階調の高周波数成分が検出される。垂直方向も同様に検出する。
【００４４】
この検出した高周波数成分を、乗算器６０で乗算した映像信号に加算器６２によって加算する。この加算する時のタイミングは差分値検出手段５４によって決定される。
【００４５】
差分値検出手段５４はリサイズ・フリーズ・オンスクリーン発生回路４０から入力された映像信号と、フレーム遅延手段５１により１画面分遅延した映像信号の差分値を検出する。例えば、リサイズ・フリーズ・オンスクリーン発生回路４０から入力された映像信号が１２８レベル／１０２４階調で、フレーム遅延手段５１により１画面分遅延した映像信号が６４０レベル／１０２４階調の場合には差分値は５１２レベル／１０２４階調となる。
【００４６】
続いて、高周波数成分検出手段５３により出力された高周波数成分１９２レベル／１０２４階調に、乗算器６１により差分値５１２レベル／１０２４階調を掛ける。その結果、高周波数成分は９６レベル／１０２４階調になり、乗算器６０で乗算された映像信号に加算器６２で加算され、応答性改善回路５０から出力される。
【００４７】
一方、静止画時を考える。フレーム遅延手段５１により１画面分遅延した映像信号が１２８レベル／１０２４階調の場合には差分値は０レベル／１０２４階調となる。続いて高周波数成分検出手段５３により出力された高周波数成分に、乗算器６１により差分値検出手段５４に検出した差分値を掛ける。この時前記したように、差分値が０レベル／１０２４階調となった場合には高周波数成分は０レベル／１０２４階調となるので、加算器６２には０レベル／１０２４階調が加算され、乗算器６０で乗算された映像信号が応答性改善回路５０からそのまま出力される。
【００４８】
この後、映像信号はデジタル相展開回路８１〜８３に送られる。
【００４９】
以上のように本実施の形態によれば、ユーザーは入力された映像信号に対し、第１の映像信号を１画面分遅延させ、第２の映像信号として出力するフレーム遅延手段、第１の映像信号と第２の映像信号から第１の映像信号に乗算する値を決定する乗算値決定手段、乗算値決定手段により決定した値を第１の映像信号に乗算させ応答特性を改善し、第３の映像信号とした後、第３の映像信号の高周波数成分を検出する高周波数成分検出手段、第１と第２の映像信号の差分を検出する差分値検出手段とを持ち、差分値検出手段で検出した値に応じて、第３の映像信号の高周波数成分を加算することで、動画において、さらに残像やぼけの少ない映像にする事が可能になる。
【００５０】
なお、ここで高周波数成分検出手段５３は水平フィルタ及び垂直フィルタと指定したが、どちらか一方のフィルタでも構わない。また、フィルタに使用する画素数を３画素という例をあげたが、３画素より小さいまたは大きい多画素を用いても構わない。
【００５１】
（実施の形態２）
本発明の実施の形態２の画像処理装置は実施の形態１と基本構成は同じであり、応答性改善回路５０に入力された映像信号をフレーム遅延手段により１画面分遅延させたものと現信号の値から現信号に乗算する値を決定する。現信号を乗算した後、その信号の高周波数成分を検出し、前記した現信号と１画面分遅延した信号の差分値に応じて加算する事を特徴とする。
【００５２】
以下、実施の形態１との相違点を中心に説明する。
【００５３】
図７は実施の形態２についての応答性改善回路５０の詳細図である。実施の形態１と異なるところは、高周波数成分調整手段５５をさらに設けた点である。本実施の形態で使用する高周波数成分調整手段５５について説明する。
【００５４】
高周波数成分検出手段５３で検出した高周波数成分は動画時の応答性を改善する効果はあるが、同時に画像の輪郭を過度に強調してしまう（リンギング現象）可能性がある。とりわけ乗算値決定手段５２で決定した乗算値により強調してからであるので、その効果が大きい反面、輪郭強調も大きくなってしまう。そこで、検出した高周波数成分に対して高周波数成分調整手段５５を設けることで、所望の部分のみの効果をあげる事ができる。その機能について説明する。
【００５５】
まず、高周波数成分調整手段５５に高周波数成分が入力されると高周波数成分の振幅レベルをある値以上はクリップするようにする。例えば、画像の水平方向の連続した３画素の高周波数成分が−８０レベル／１０２４階調、１０レベル／１０２４階調、２４０レベル／１０２４階調であったとする。この時、例えばクリップするレベルを絶対値で４０レベル／１０２４階調とした場合に、前記した３画素はそれぞれ−４０レベル／１０２４階調、１０レベル／１０２４階調、４０レベル／１０２４階調となる。これを乗算器６１に送る。
【００５６】
乗算器６１では、実施の形態１と同様、差分値検出手段５４で検出した差分値を掛け、乗算器６０で乗算した映像信号に加算器６２によって加算する。
【００５７】
以上のように本実施の形態によれば、高周波数成分を検出した後振幅レベルを調整する事で、映像信号に加えられる、特に輪郭部分における高周波数成分の過補正を是正することができるので、単に輪郭を強調するのではなく、所望の部分の応答性を改善し繊細な画像を提供する事を可能とする。
【００５８】
なお、本実施の形態では水平３画素を取り扱ったが垂直３画素であっても構わないし、両方でも構わない。更に３画素に留まらず多画素についても同様に適応する事ができる。
【００５９】
（実施の形態３）
本発明の実施の形態３の画像処理装置は実施の形態１と基本構成は同じであり、応答性改善回路５０に入力された映像信号をフレーム遅延手段により１画面分遅延させたものと現信号の値から現信号に乗算する値を決定する。現信号を乗算した後、その信号の高周波数成分を検出し、前記した現信号と１画面分遅延した信号の差分値に応じて加算する事を特徴とする。
【００６０】
以下、実施の形態１との相違点を中心に説明する。
【００６１】
図８は実施の形態３についての応答性改善回路５０の詳細図である。実施の形態１と異なるところは、高周波数成分増幅手段５６をさらに設けた点である。本実施の形態で使用する高周波数成分増幅手段５６について説明する。
【００６２】
高周波数成分検出手段５３より出力した高周波数成分が高周波数成分増幅手段５６に入力されると、その高周波数成分を増幅する。例えば、画像の水平方向の連続した３画素の高周波数成分が−８０レベル／１０２４階調、１０レベル／１０２４階調、２４０レベル／１０２４階調であったとする。この時、それぞれのレベルを２倍にすると１６０レベル／１０２４階調、２０レベル／１０２４階調、４８０レベル／１０２４階調になる。この結果、高周波数成分が増幅して乗算器６１に送られる。
【００６３】
乗算器６１では、実施の形態１と同様、差分値検出手段５４で検出した差分値を掛け、乗算器６０で乗算した映像信号に加算器６２によって加算する。
【００６４】
以上のように本実施の形態によれば、高周波数成分を検出した後高周波数成分を増幅する事で、更に応答性を改善し繊細な画像を提供する事を可能とする。
【００６５】
なおここでの増幅レベルを２倍としたが、０．５倍など小さくしても構わない。
【００６６】
（実施の形態４）
本発明の実施の形態４の画像処理装置は実施の形態１と基本構成は同じであり、応答性改善回路５０に入力された映像信号をフレーム遅延手段により１画面分遅延させたものと現信号の値から現信号に乗算する値を決定する。現信号を乗算した後、その信号の高周波数成分を検出し、前記した現信号と１画面分遅延した信号の差分値に応じて加算する事を特徴とする。
【００６７】
以下、実施の形態１との相違点を中心に説明する。
【００６８】
図９は実施の形態４についての応答性改善回路５０の詳細図である。実施の形態１と異なるところは、差分値調整手段５７をさらに設けた点である。本実施の形態で使用する差分値調整手段５７について説明する。
【００６９】
差分値検出手段５４によって現映像信号と１画面分遅れた映像信号の差分を検出した後、検出された差分値が差分値調整手段５７に通知される。通知された差分値は差分値調整手段５７によって差分値を調整し、乗算器６１に送る。
【００７０】
例えば、通知された差分値の大きさが絶対値で５レベル／１０２４階調であったとする。この時、差分値調整手段５７により５レベル／１０２４階調以下は０レベル／１０２４階調にすると設定し０レベル／１０２４階調にして乗算器６１に送るようにする。
【００７１】
乗算器６１では、高周波数成分検出手段５３で検出された高周波数成分に差分値調整手段５７で調整した差分値を掛け、乗算器６０で乗算した映像信号に加算器６２によって加算する。
【００７２】
以上のように本実施の形態によれば、現映像信号と１画面分遅れた映像信号の差分値を検出した後差分値を調整することで、Ａ／Ｄコンバータ３６の精度により実際は静止時、つまり差分値が０レベル／１０２４階調であるはずである所を、差分値が存在する為に静止時か動画時かの判別精度が悪くなる所を良くする事で、静止時に高周波数成分を強調してしまうといった弊害を回避することができ、所望の部分の応答性を改善し繊細な画像を提供する事を可能とする。
【００７３】
（実施の形態５）
本発明の実施の形態５の画像処理装置は実施の形態１と基本構成は同じであり、応答性改善回路５０に入力された映像信号をフレーム遅延手段により１画面分遅延させたものと現信号の値から現信号に乗算する値を決定する。現信号を乗算した後、その信号の高周波数成分を検出し、前記した現信号と１画面分遅延した信号の差分値に応じて加算する事を特徴とする。
【００７４】
以下、実施の形態１との相違点を中心に説明する。
【００７５】
図１０は実施の形態５についての応答性改善回路５０の詳細図である。実施の形態１と異なるところは、色成分調整手段５８をさらに設けた点と入力セレクタ３５で映像信号を映像輝度信号と映像色信号に分けて入力した点である。本実施の形態で使用する色成分調整手段５８について説明する。
【００７６】
色成分調整手段５８は、応答性改善回路５０に入力された映像信号と加算器６２によって高周波数成分が加えられた後の映像信号が色成分調整手段５８に通知され、その後通知された両映像信号の補正量により映像色信号を調整するものである。
【００７７】
例えば、応答性改善回路５０に入力された映像信号が１２８レベル／１０２４階調、加算器６２によって高周波数成分が加えられた後の映像信号が１９２レベル／１０２４階調であったとする。この場合の補正量は１９２レベル／１２８レベルとなり１．５倍補正された事になる。この補正倍率を映像色信号に適応する。つまり、映像色信号が１２８レベル／１０２４階調であれば、色成分調整手段５８は１９２レベル／１０２４階調として出力する。
【００７８】
以上のように本実施の形態によれば、応答性改善回路５０に入力された映像信号と出力された映像信号の補正量に応じて映像色信号を補正することで、輝度のみ補正した場合に色が薄くなるといった弊害がでる可能性がある事に対して、色も同様の倍率で補正する事で正常な色に補正する事ができ、色が薄くなることなく動画に対する応答性を改善した画像を提供する事を可能とする。
【産業上の利用可能性】
【００７９】
本発明の画像表示装置は、動画の応答性を改善することができ、特に液晶パネル等を内蔵するプロジェクタ等の画像表示装置に有用である。
【図面の簡単な説明】
【００８０】
【図１】画像表示装置であるプロジェクタ装置の構成を示す構成図
【図２】本発明の一実施形態に係るプロジェクタ装置の外観図
【図３】本発明の一実施形態に係るプロジェクタ装置の内部構成を示すブロック図
【図４】本発明の実施の形態１の画像処理装置の応答性改善回路の内部構成を示すブロック図
【図５】本発明の実施の形態１の画像処理装置の応答性改善回路のオーバードライブを説明する図
【図６】本発明の実施の形態１の画像処理装置の応答性改善回路の高周波成分検出を説明する図
【図７】本発明の実施の形態２の画像処理装置の応答性改善回路の内部構成を示すブロック図
【図８】本発明の実施の形態３の画像処理装置の応答性改善回路の内部構成を示すブロック図
【図９】本発明の実施の形態４の画像処理装置の応答性改善回路の内部構成を示すブロック図
【図１０】本発明の実施の形態５の画像処理装置の応答性改善回路の内部構成を示すブロック図
【図１１】従来例における動画処理装置のブロック図
【符号の説明】
【００８１】
１  プロジェクタ装置
１０  パーソナルコンピュータ
２０  スクリーン
２１  ＶＩＤＥＯ端子
２２  Ｓ−ＶＩＤＥＯ端子
２３  ＲＧＢ／ＹＰｂＰｒ入力端子
２４  ＶＩＤＥＯ端子
２５  Ｓ−ＶＩＤＥＯ端子
２６  ＲＧＢ／ＹＰｂＰｒ入力端子
２７  電源ＯＮ／ＯＦＦボタン
２８  外光センサ
２９  リモートコントローラ
３０  入力セレクタ
３１  カラーデコーダ
３２  Ｙ／Ｃ分離回路
３３  マトリクス回路
３４  入力セレクタ
３５  入力セレクタ
３６  Ａ／Ｄコンバータ
４０  リサイズ・フリーズ・オンスクリーン発生回路
５０  応答性改善回路
５１  フレーム遅延手段
５２  乗算値決定手段
５３  高周波数成分検出手段
５４  差分値検出手段
５５  高周波数成分調整手段
５６  高周波数成分増幅手段
５７  差分値調整手段
５８  色成分調整手段
６０  乗算器
６１  乗算器
６２  加算器
７０  メインマイコン
７１  外部インタフェース
８１〜８３  デジタル相展開回路
９０  パネル駆動ＩＣ
９１〜９３  ＬＣＤパネル
【図１】
2008122883.tif 000003
【図２】
2008122883.tif 000004
【図３】
2008122883.tif 000005
【図４】
2008122883.tif 000006
【図５】
2008122883.tif 000007
【図６】
2008122883.tif 000008
【図７】
2008122883.tif 000009
【図８】
2008122883.tif 000010
【図９】
2008122883.tif 000011
【図１０】
2008122883.tif 000012
【図１１】
2008122883.tif 000013